(57)【要約】      （修正有）【課題】製造容易で安価に実現することができる内袋体を提供する。【解決手段】樹脂フィルム材よりなり開放口１２を有する袋体１と、開放口１２の周縁の周方向の複数個所に装着された保持部材２と、これら保持部材２を連ねるように挿通され、その両端部が隣り合う保持部材２の対向端から引き出された紐材３とを備え、保持部材２はその樹脂製の基体の一側縁に嵌合凹部２５が形成されるとともに他側縁に嵌合凸部２４が形成され、基体の中央部は薄肉とされて当該中央部を境に折り曲げることにより嵌合凸部２４が嵌合凹部２５に進入してこれらが嵌合するようにし、嵌合状態の保持部材２の両側縁間に紐材３が挿通されている。【選択図】図１
0003202314.tif 000002
【実用新案登録請求の範囲】
【請求項１】
樹脂フィルム材よりなり開放口を有する袋体と、開放口の周縁の周方向の複数個所に装着された保持部材と、これら保持部材を連ねるように挿通され、その両端部が隣り合う保持部材の対向端から引き出された紐材とを備え、前記保持部材はその樹脂製の基体の一側縁に嵌合凹部が形成されるとともに他側縁に嵌合凸部が形成され、前記基体の中央部は薄肉とされて当該中央部に沿って折り曲げることにより前記嵌合凸部が前記嵌合凹部に進入してこれらが嵌合するようにし、嵌合状態の保持部材の両側縁間に前記紐材が挿通されている内袋体。
【請求項２】
前記保持部材の前記開放口の周縁への装着を熱融着で行う請求項１に記載の内袋体。
【請求項３】
前記保持部材の前記開放口の周縁への装着を、前記嵌合凸部が前記嵌合凹部に進入して嵌合する際にこれらの間に前記周縁を挟持することによって行う請求項１に記載の内袋体。
【考案の詳細な説明】
【技術分野】
【０００１】
本考案は、フレキシブルコンテナ、ポリタンク、段ボール箱等の内袋として使用できる内袋体に関するものである。
【背景技術】
【０００２】
フレキシブルコンテナ等では粉体や液体の搬送に当たって、外袋内に樹脂フィルムよりなる不透水性の交換可能な内袋を設置している。なお、特許文献１にはこの種の内袋体の一例が開示されている。
【先行技術文献】
【特許文献】
【０００３】
【特許文献１】特開平８−１０４３９１
【考案の概要】
【考案が解決しようとする課題】
【０００４】
本考案は、製造容易で安価に実現することが可能な内袋体を提供することを目的とする。
【課題を解決するための手段】
【０００５】
上記目的を達成するために、本第１考案では、樹脂フィルム材よりなり開放口（１２）を有する袋体（１）と、開放口（１２）の周縁の周方向の複数個所に装着された保持部材（２）と、これら保持部材（２）を連ねるように挿通され、その両端部が隣り合う保持部材（２）の対向端から引き出された紐材（３）とを備え、前記保持部材（２）はその樹脂製の基体（２１）の一側縁（２３）に嵌合凹部（２５）が形成されるとともに他側縁（２２）に嵌合凸部（２４）が形成され、前記基体（２１）の中央部（２６）は薄肉とされて当該中央部（２６）を境に折り曲げることにより前記嵌合凸部（２４）が前記嵌合凹部（２５）に進入してこれらが嵌合するようにし、嵌合状態の保持部材（２）の両側縁（２２，２３）間に前記紐材（３）が挿通されている。
【０００６】
本第１考案においては、紐材の両端部を引くと袋体の開放口が絞られてこれが閉鎖される。本第１考案によれば、袋体や保持部材を再生樹脂材で製造することが可能であるから安価である。また、袋体の開放口の開口周縁の複数個所に保持部材を装着し、これら保持部材の嵌合凸部と嵌合凹部を嵌合させることによりその両側縁間に紐材が挿通されるようになっているから構造簡易である。
【０００７】
本第２考案では、前記保持部材（２）の前記開放口（１２）の周縁への装着を熱融着で行う。
【０００８】
本第２考案によれば、熱融着によって保持部材を開放口の周縁へ簡易に装着することができる。
【０００９】
本第３考案では、前記保持部材（２）の前記開放口（１２）の周縁への装着を、前記嵌合凸部（２４）が前記嵌合凹部（２５）に進入して嵌合する際にこれらの間に前記周縁を挟持することによって行う。
【００１０】
本第３考案によれば、保持部材の嵌合凸部と嵌合凹部を嵌合させることによって、保持部材を開放口の周縁へより簡易に装着することができる。
【００１１】
なお、上記カッコ内の符号は、後述する実施形態に記載の具体的手段との対応関係を参考的に示すものである。
【考案の効果】
【００１２】
以上のように、本考案の内袋体は、製造容易で安価に実現することができる。
【図面の簡単な説明】
【００１３】
【図１】本考案の第１実施形態における内袋体の全体斜視図である。
【図２】保持部材の斜視図である。
【図３】展開状態の保持部材の断面図である。
【図４】紐材の端部を結合した保持部材の側面図である。
【図５】本考案の第２実施形態における内袋体の全体斜視図である。
【図６】袋体の開放口の周縁に装着された保持部材の断面図である。
【考案を実施するための形態】
【００１４】
なお、以下に説明する実施形態はあくまで一例であり、本考案の要旨を逸脱しない範囲で当業者が行う種々の設計的改良も本考案の範囲に含まれる。
【００１５】
（第１実施形態）
図１には本考案の内袋体の全体斜視図を示す。内袋体は袋体１を備えており、袋体１は再生ポリエチレンや再生ポリプロピレン、再生塩化ビニル等を円筒状シートに成形した後、その一端１１（図１では下端）開口を溶着で閉じて、他方（図１では上方）へ開放する開放口１２を有する袋状としたものである。
【００１６】
袋体１の開放口１２の外周縁には全周に一定間隔をおいて複数の保持部材２が装着されている。これら保持部材２の袋体１への装着は、以下に詳細を説明する保持部材２の一方の側縁２１を、袋体１の外表面に熱融着することによって行われる。
【００１７】
保持部材２の詳細を図２に示す。保持部材２は樹脂材よりなり、一定長さの基体２１を有している。基体２１は、押し出し成形等によって成形された帯状体を必要長さに切断するか、あるいは射出成形等によって予め所定の長さで成形される。上記保持部材２を構成する合成樹脂材は、再生ポリエチレンや再生ポリプロピレン、再生塩化ビニル等を適宜使用することができる。
【００１８】
保持部材２の基体２１には図２に示すように、一方の側縁２２の端縁に沿って傘状断面に突出する嵌合凸部２４が形成され、他方の側縁２３の端縁にはこれに沿って略逆Ｕ字断面の嵌合凹部２５が形成されている。また、基体２１の中央部２６は薄肉としてある。このような保持部材２は、図２に示す展開状態で中央部２６が略水平に延びるような姿勢で、図３の鎖線で示すように、嵌合凸部２４を形成した側縁２２が下方に位置するようにして当該側縁２２の、嵌合凸部２４が形成されていない裏面が、袋体１の開放口１２外周縁の外表面に熱融着によって固定し装着されている。
【００１９】
この状態で、袋体１の開放口１２の周長よりも長い一本の紐材３を用意して、紐材の中間部を、各保持部材２の外方へ向く中央部２６に沿って位置させ、各保持部材２の側縁２３を薄肉の中央部２６を境に下方へ折り曲げて（鎖線で示す状態から実線で示す状態）嵌合凸部２４を嵌合凹部２５内に進入させる。この時、中央部２６に沿って位置させられた紐材３は両側縁２２，２３間に位置させられて、これらの間に形成された扁平な筒状空間Ｓ内に挿通された状態となる。そして紐材３の両端部３１，３２は図１に示すように、隣り合う保持部材２の対向する端面から外方へ引き出される。
【００２０】
袋体１の開放口１２を閉じる場合には、紐材３の両端部３１，３２を引いて袋体１の開放口１２を絞る。紐材３の両端部３１，３２は十分に開放口１２を絞った状態で互いに結ばれる。
【００２１】
なお、紐材３の両端部３１，３２を結ぶのに代えて、図４に示すように、保持部材２を利用して、両端部３１，３２を保持部材２の中央部２６に互いに反対方向から位置させ、嵌合凸部２４（図３参照）と嵌合凹部２５を嵌合させて紐材３の両端部３１，２３２を両側縁２２，２３で挟持固定するようにしても良い。
【００２２】
（第２実施形態）
図５には本考案の他の実施形態を示す。本実施形態では各保持部材２は下方に位置させたその嵌合凸部２４と嵌合凹部２５を嵌合させることによって袋体１の開放口１２の周縁に装着されている。紐材３は開放口１２の周縁の上方に位置する各保持部材２の両側縁２２，２３間に挿通されている。そして、紐材３の両端部３１，３２は隣り合う保持部材２の対向する端面から外方へ引き出されている。
【００２３】
このような構造は以下の手順によって実現される。すなわち、保持部材２の基体２１を展開させた状態で嵌合凹部２５を形成した側縁２３を下方に位置させ、薄肉の中央部２６に沿って紐材３の中間部分を略水平に位置させておく。この状態で中央部２６を境に、嵌合凸部２４を形成した側縁２２を下方に折り曲げて嵌合凸部２４を嵌合凹部２５内に進入させてこれらを嵌合させる（図６）。この際、袋体１の開放口１２の周縁が嵌合凸部２４と嵌合凹部２５の間で深く屈曲させられて挟まれ、このようにして袋体１の開放口１２の周縁に保持部材２が装着される。同時に両側縁２２，２３間に形成された扁平な筒状空間Ｓ内に紐材３が挿通された状態で保持される。
【００２４】
本実施形態によっても第１実施形態と同様の作用効果が得られるとともに、保持部材２を袋体１に熱融着する手間が省略できる。
【符号の説明】
【００２５】
１…袋体、１２…開放口、２…保持部材、２１…基体、２２，２３…側縁、２４…嵌合凸部、２５…嵌合凹部、２６…中央部、３…紐材。
【図１】
0003202314.tif 000003
【図２】
0003202314.tif 000004
【図３】
0003202314.tif 000005
【図４】
0003202314.tif 000006
【図５】
0003202314.tif 000007
【図６】
0003202314.tif 000008